(57)【要約】  【課題】リムーバブル記録ユニットの運用装着からまでの遷移を容易にする。  【解決手段】録画機器１６は画像記録再生装置であり、ＨＤＤはリムーバブル記録ユニットである。ＯＮ／ＯＦＦボタン５０、５２はＬＥＤ付きであり、認識操作部材および認識表示灯として機能する。フォーマットボタン５４、５６もＬＥＤ付きであり、フォーマット操作部材およびフォーマット表示灯として機能する。録画機器１６は、ＯＮ／ＯＦＦボタン５０、５２、フォーマットボタン５４、５６の操作に応じて、これらボタンのＬＥＤ表示を制御し、装着されたＨＤＤの認識結果として正常認識および未フォーマット状態の表示を行い、また、フォーマット中を示す表示を行う。【選択図】  図１
2007317329.tif 000002
【特許請求の範囲】
【請求項１】
画像を記録するリムーバブル記録ユニットを装着する記録ユニット装着部と、
前記記録ユニット装着部に追加された前記リムーバブル記録ユニットを認識するために操作される認識操作部材と、
前記リムーバブル記録ユニットをフォーマットするために操作されるフォーマット操作部材と、
前記リムーバブル記録ユニットの認識状態を表示する認識表示灯と、
前記リムーバブル記録ユニットのフォーマット処理状態を表示するフォーマット表示灯と、
前記認識操作部材および前記フォーマット操作部材への操作に応じて前記認識表示灯および前記フォーマット表示灯の表示を制御する制御手段とを備え、
前記制御手段は、前記認識操作部材が操作されたときに、前記リムーバブル記録ユニットが正常に認識されれば正常認識表示を前記認識表示灯に行わせ、前記リムーバブル記録ユニットが未フォーマット状態であれば前記正常認識表示と異なる未フォーマット表示を前記認識表示灯に行わせ、さらに、前記未フォーマット表示中に前記フォーマット操作部材が操作されるとフォーマット中表示を前記フォーマット表示灯に行わせ、フォーマットが正常終了すると前記正常認識表示を前記認識表示灯に行わせることを特徴とする画像記録再生装置。
【請求項２】
前記リムーバブル記録ユニットの運用中に前記認識操作部材が操作されると、前記制御手段は、前記リムーバブル記録ユニットの停止による未認識状態を示す表示を前記認識表示灯に行わせることを特徴とする請求項１に記載の画像記録再生装置。
【請求項３】
前記記録ユニット装着部が複数のリムーバブル記録ユニットを装着可能であり、
前記複数のリムーバブル記録ユニットに対応して複数の認識操作部材、複数のフォーマット操作部材、複数の認識表示灯および複数のフォーマット表示灯が備えられていることを特徴とする請求項１または２に記載の画像記録再生装置。
【請求項４】
前記複数のフォーマット操作部材が同時に操作されたときに、前記複数のリムーバブル記録ユニットのシングル運用とミラー運用の設定切替を行うことを特徴とする請求項３に記載の画像記録再生装置。
【請求項５】
前記記録ユニット装着部に前記複数のリムーバブル記録ユニットが装着されているときに前記複数のフォーマット操作部材が同時に操作されると、ミラー運用を設定し、前記複数のリムーバブル記録ユニットに対してミラーフォーマットを行うことを特徴とする請求項４に記載の画像記録再生装置。
【請求項６】
前記記録ユニット装着部が非装着状態のときに前記複数のフォーマット操作部材が同時に操作されると、シングル運用を設定することを特徴とする請求項４または５に記載の画像記録再生装置。
【請求項７】
ミラー運用設定状態にて前記複数のフォーマット操作部材の一つが操作されたときに、操作対象の前記リムーバブル記録ユニットのフォーマットと共にミラー復旧処理を行うことを特徴とする請求項３ないし６のいずれか記載の画像記録再生装置。
【請求項８】
前記認識操作部材および前記認識表示灯が表示灯付きボタンによって一体的に構成されており、前記フォーマット操作部材および前記フォーマット表示灯が表示灯付きボタンによって一体的に構成されていることを特徴とする請求項１ないし７のいずれかに記載の画像記録再生装置。
【請求項９】
前記記録ユニット装着部、前記認識操作部材、前記フォーマット操作部材、前記認識表示灯および前記フォーマット表示灯を覆う前面パネルと、
前記前面パネルを取り外し不能に施錠する鍵機構とを備えたことを特徴とする請求項１ないし８のいずれかに記載の画像記録再生装置。
【請求項１０】
前記認識操作部材および前記フォーマット操作部材に対する操作履歴を記憶する操作履歴記憶手段を備えたことを特徴とする請求項１ないし９のいずれかに記載の画像記録再生装置。
【請求項１１】
前記記録ユニット装着部の挿抜状態および前記リムーバブル記録ユニットに対するフォーマット状態を含む機器本体状態と、前記操作履歴の情報とを、外部からの要求に応じて出力する情報出力手段を備えたことを特徴とする請求項１０に記載の画像記録再生装置。
【発明の詳細な説明】
【技術分野】
【０００１】
本発明は、監視カメラ等の画像を記録する画像記録再生装置に関し、特に、リムーバブルタイプのハードディスクユニット等のリムーバブル記録ユニットを装着する画像記録再生装置に関する。
【背景技術】
【０００２】
従来、例えば監視カメラにより撮影された監視画像を記録するために、画像記録再生装置が用いられている。画像記録再生装置は、ＨＤＤ等の記録媒体に画像を記録し、記録した画像を再生して出力する（例えば特許文献１、２参照）。
【０００３】
また、画像記録再生装置としては、リムーバブル記録ユニットに画像を記録するものも提案されている。リムーバブル記録ユニットは、画像記録再生装置から取り外して持ち運べる記録ユニットである。リムーバブル記録ユニットの典型的な例としては、ＨＤＤ（ハードディスクドライブ）ユニットが挙げられる（例えば特許文献３参照）。
【０００４】
従来、ＨＤＤユニットが画像記録再生装置に装着されてから運用までの遷移過程では、まず、ＨＤＤユニットが画像記録再生装置に認識され、そして、ＨＤＤユニットがフォーマットされ、それから運用が開始する。上記の運用までの遷移のために、従来はモニターまたはブラウザ（コンピュータ）が画像記録再生装置に接続される。ユーザは、モニタまたはブラウザの表示を確認しながらボタン操作を行い、画像記録再生装置にＨＤＤユニットの認識処理とフォーマット処理を行わせる。
【０００５】
また、画像記録再生装置が複数のＨＤＤユニットを備える場合には、シングル運用とミラー運用の２つの運用状態を設定可能である。シングル運用では、複数のＨＤＤユニットが異なる画像を記録する。したがって、ＨＤＤユニットの容量の合計に相当する量の画像を記録することができる。一方、ミラー運用では複数のＨＤＤユニットに同じ画像が記録され、これにより信頼性を向上できる。従来は、シングル運用とミラー運用に関連する設定切替などの作業も、ＨＤＤユニットの運用までの遷移過程で行われ、ここでもモニタやブラウザで機器状態等が確認されることがある。
【特許文献１】特開２００２−２４７５１５号公報
【特許文献２】特開２０００−２４４８７０号公報
【特許文献３】特開２００５−１２３７９６号公報
【発明の開示】
【発明が解決しようとする課題】
【０００６】
しかしながら、従来の画像記録再生装置においては、モニタやブラウザの画面確認が必要なために、リムーバブル記録ユニットの運用開始までに手間と時間がかかり、運用までの遷移が容易でないという問題があった。
【０００７】
本発明は、従来の問題を解決するためになされたもので、その目的は、リムーバブル記録ユニットの運用までの遷移を容易にできる画像記録再生装置を提供することにある。
【課題を解決するための手段】
【０００８】
本発明の画像記録再生装置は、画像を記録するリムーバブル記録ユニットを装着する記録ユニット装着部と、前記記録ユニット装着部に追加された前記リムーバブル記録ユニットを認識するために操作される認識操作部材と、前記リムーバブル記録ユニットをフォーマットするために操作されるフォーマット操作部材と、前記リムーバブル記録ユニットの認識状態を表示する認識表示灯と、前記リムーバブル記録ユニットのフォーマット処理状態を表示するフォーマット表示灯と、前記認識操作部材および前記フォーマット操作部材への操作に応じて前記認識表示灯および前記フォーマット表示灯の表示を制御する制御手段とを備え、前記制御手段は、前記認識操作部材が操作されたときに、前記リムーバブル記録ユニットが正常に認識されれば正常認識表示を前記認識表示灯に行わせ、前記リムーバブル記録ユニットが未フォーマット状態であれば前記正常認識表示と異なる未フォーマット表示を前記認識表示灯に行わせ、さらに、前記未フォーマット表示中に前記フォーマット操作部材が操作されるとフォーマット中表示を前記フォーマット表示灯に行わせ、フォーマットが正常終了すると前記正常認識表示を前記認識表示灯に行わせるように構成されている。
【０００９】
この構成により、認識操作部材、フォーマット操作部材、認識表示灯およびフォーマット表示灯が画像記録再生装置に備えられ、そして、制御手段が認識操作部材およびフォーマット操作部材への操作に応じて認識表示灯およびフォーマット表示灯の表示を制御し、上記のようにリムーバブル記録ユニットの認識状態とフォーマット処理状態を表示する。したがって、モニタまたはブラウザが無くとも、操作部材の操作と表示灯の確認作業とによってユニット運用までの遷移作業を進めることができ、これにより、リムーバブル記録ユニットの運用までの遷移を容易にできる。
【００１０】
また、本発明の画像記録再生装置では、前記リムーバブル記録ユニットの運用中に前記認識操作部材が操作されると、前記制御手段は、前記リムーバブル記録ユニットの停止による未認識状態を示す表示を前記認識表示灯に行わせる。
【００１１】
この構成により、認識操作部材と認識表示灯を利用して、リムーバブル記録ユニットの停止作業も容易に行うことができる。未認識状態の表示は、後述の例のように「消灯」でもよい。
【００１２】
また、本発明の画像記録再生装置では、前記記録ユニット装着部が複数のリムーバブル記録ユニットを装着可能であり、前記複数のリムーバブル記録ユニットに対応して複数の認識操作部材、複数のフォーマット操作部材、複数の認識表示灯および複数のフォーマット表示灯が備えられている。
【００１３】
この構成により、複数のリムーバブル記録ユニットを備えたタイプの画像記録再生装置においても、リムーバブル記録ユニットの運用までの遷移を容易にできる。複数のリムーバブル記録ユニットの各々に個別に操作部材および表示灯を設けたので、１つのリムーバブル記録ユニットの運用を継続したまま、他のリムーバブル記録ユニットの運用までの遷移を行うことができる。１つのリムーバブル記録ユニットの運用を継続したまま、他のリムーバブル記録ユニットを交換することも可能になる。
【００１４】
また、本発明の画像記録再生装置は、前記複数のフォーマット操作部材が同時に操作されたときに、前記複数のリムーバブル記録ユニットのシングル運用とミラー運用の設定切替を行う。
【００１５】
この構成により、複数のリムーバブル記録ユニットに対応して設けられた複数の認識操作部材を利用して、シングル運用とミラー運用の設定切替作業も容易に行うことができる。
【００１６】
また、本発明の画像記録再生装置は、前記記録ユニット装着部に前記複数のリムーバブル記録ユニットが装着されているときに前記複数のフォーマット操作部材が同時に操作されると、ミラー運用を設定し、前記複数のリムーバブル記録ユニットに対してミラーフォーマットを行う。
【００１７】
この構成により、複数のリムーバブル記録ユニットに対応して設けられた複数の認識操作部材を利用して、ミラー運用への切替を容易にできる。
【００１８】
また、本発明の画像記録再生装置は、前記記録ユニット装着部が非装着状態のときに前記複数のフォーマット操作部材が同時に操作されると、シングル運用を設定する。
【００１９】
この構成により、複数のリムーバブル記録ユニットに対応して設けられた複数の認識操作部材を利用して、シングル運用への切替を容易にできる。
【００２０】
また、本発明の画像記録再生装置は、ミラー運用設定状態にて前記複数のフォーマット操作部材の一つが操作されたときに、操作対象の前記リムーバブル記録ユニットのフォーマットと共にミラー復旧処理を行う。
【００２１】
この構成により、ミラー片はい運用状態で、追加されたリムーバブル記録ユニットのフォーマットが指示されると、フォーマットに続いてミラー復旧が行われる。したがって、ミラー片はい運用状態からミラー運用状態への復旧を容易にできる。
【００２２】
また、本発明の画像記録再生装置では、前記認識操作部材および前記認識表示灯が表示灯付きボタンによって一体的に構成されており、前記フォーマット操作部材および前記フォーマット表示灯が表示灯付きボタンによって一体的に構成されている。
【００２３】
この構成により、認識操作部材と認識表示灯が一体化されるので、操作と表示確認を容易にできる。
【００２４】
また、本発明の画像記録再生装置は、前記記録ユニット装着部、前記認識操作部材、前記フォーマット操作部材、前記認識表示灯および前記フォーマット表示灯を覆う前面パネルと、前記前面パネルを取り外し不能に施錠する鍵機構とを備えている。
【００２５】
この構成により、鍵付きの前面パネルを備えたので、鍵が無ければリムーバブル記録ユニットの操作ができなくなり、セキュリティ性を向上できる。これにより、上述の表示灯などの特徴的構成による操作性向上に伴って機器管理セキュリティ性が低下してしまうといったことのないように、セキュリティ性を確保することができる。
【００２６】
また、本発明の画像記録再生装置は、前記認識操作部材および前記フォーマット操作部材に対する操作履歴を記憶する操作履歴記憶手段を備えている。
【００２７】
この構成により、操作履歴を記憶するので、画像記録再生装置に対する操作履歴が分かり、ユニット交換やフォーマットの履歴が分かる。そして、操作履歴を、不正目的の操作の有無などの判断に利用することができる。
【００２８】
また、本発明の画像記録再生装置は、前記記録ユニット装着部の挿抜状態および前記リムーバブル記録ユニットに対するフォーマット状態を含む機器本体状態と、前記操作履歴の情報とを、外部からの要求に応じて出力する情報出力手段を備えている。
【００２９】
この構成により、画像記録再生装置の機器本体状態や上述の操作履歴を外部からモニタすることも可能になる。
【発明の効果】
【００３０】
本発明は、認識操作部材、フォーマット操作部材、認識表示灯およびフォーマット表示灯を設け、認識操作部材およびフォーマット操作部材への操作に応じて認識表示灯およびフォーマット表示灯の表示を適切に制御することにより、リムーバブル記録ユニットの運用までの遷移を容易にできるという効果を有する画像記録再生装置を提供することができる。
【発明を実施するための最良の形態】
【００３１】
以下、本発明の実施の形態に係る画像記録再生装置について、図面を用いて説明する。下記の実施の形態では、画像記録再生装置が監視システムに適用される。また、下記の実施の形態では、リムーバブル記録ユニットがリムーバブルＨＤＤユニット（以下、ＨＤＤという）である。
【００３２】
本発明の実施の形態に係る画像記録再生装置を図１に示し、画像記録再生装置が適用される監視システムの例を図２に示す。まず、図２を参照すると、監視システム１０は、複数のカメラ１２を備えている。カメラ１２はＬＡＮ等のネットワークを経由して画像を送信するネットワークカメラであり、ハブ１４と接続されている。ハブ１４は、さらに、画像記録再生装置である録画機器１６と接続され、また、ブラウザであるモニタリングＰＣ（パーソナルコンピュータ）１８と接続されている。
【００３３】
カメラ１２が監視領域を撮影すると、監視映像がＴＣＰ／ＩＰプロトコルで録画機器１６に送られて、録画機器１６で画像が記録される。録画機器１６で画像が再生されると、ＨＴＴＰプロトコルで映像が配信されて、モニタリングＰＣ１８で表示される。また、録画機器１６の機器本体状態等の通知も、録画機器１６からハブ１４を介してモニタリングＰＣ１８へとＨＴＴＰプロトコルで送信される。
【００３４】
また、図示のように、録画機器１６は、２つのＨＤＤ１、２を装着可能に構成されている。ＨＤＤ１、２は、上述したように、リムーバブル記録ユニットの一例であり、録画機器１６に着脱可能である。本実施の形態では、ＨＤＤ１、２として、耐震性の高い２．５インチタイプのＨＤＤが採用されている。
【００３５】
図１は、録画機器１６の構成を示している。図１を参照し、まず、記録再生関連の主な構成について説明し、続いて、操作関連の構成について説明する。
【００３６】
図１において、ＮＷ制御部２０は、カメラ１２およびモニタリングＰＣ１８（ブラウザ）とのネットワーク通信を制御する。信号処理部２２は、ネットワークと送受信される信号を処理する回路である。エンコード・デコード部２４は、送受信データのエンコード処理およびデコード処理を行う。メモリ２６は、送受信される画像を保持する。その他、メモリ２６は、録画機器１６で処理される各種データを保持する。書込・読込部２８は、ＨＤＤ１、２に対して書込処理および読込処理を行う。本実施の形態では、書込・読込部２８が、２つのＨＤＤ１、２に対して独立に動作できるように構成されている。ＨＤＤ装着部３０は、記録ユニット装着部の一形態であり、２つのＨＤＤ１、２を装着可能に構成されている。
【００３７】
録画機器１６は、さらに、上述した各種構成を制御するソフトウエア的な構成として、ＮＷ制御ドライバ４０、ファイルシステム４２およびＨＤＤ制御ドライバ４４を備えている。これら構成は、録画機器１６に記憶されたソフトウエアをＣＰＵにて実行することによって実現される。
【００３８】
上記ソフトウエア構成のうち、ＮＷ制御ドライバ４０は、ＮＷ制御部２０にネットワーク通信を行わせる。また、ＨＤＤ制御ドライバ４４は、書込・読込部２８に書込みおよび読込み動作を行わせる。ファイルシステム４２は、各ＨＤＤ１、２のＨＤＤ構成、レコードおよび画像を管理する。また、ファイルシステム４２は、ＮＷ制御ドライバ４０およびＨＤＤ制御ドライバ４４を制御し、さらに録画機器１６の全体を制御する。
【００３９】
次に、操作関連の構成として、録画機器１６は、第１ＯＮ／ＯＦＦボタン５０、第２ＯＮ／ＯＦＦボタン５２、第１フォーマットボタン５４、第２フォーマットボタン５６およびこれらボタンを制御するボタン・ＬＥＤ制御部５８を備えている。
【００４０】
第１ＯＮ／ＯＦＦボタン５０および第２ＯＮ／ＯＦＦボタン５２は、それぞれ、ＨＤＤ１およびＨＤＤ２の認識と停止のために操作されるボタンである。また、第１フォーマットボタン５４および第２フォーマットボタン５６は、それぞれ、ＨＤＤ１およびＨＤＤ２をフォーマットするために操作されるボタンである。
【００４１】
これら４つのボタンは、いずれも、ＬＥＤ付きのボタンである。すなわち、ボタンが半透明の部材で構成されており、ボタンの裏側にＬＥＤが配置されている。ＬＥＤが光ると、ボタンが光を通し、これによりボタンが表示灯として機能する。そして、第１ＯＮ／ＯＦＦボタン５０および第２ＯＮ／ＯＦＦボタン５２は、それぞれ、ＨＤＤ１およびＨＤＤ２の認識状態を表示し、第１フォーマットボタン５４および第２フォーマットボタン５６は、それぞれ、ＨＤＤ１およびＨＤＤ２のフォーマット処理の状態を表示する。ボタン・ＬＥＤ制御部５８は、これらボタンを制御する回路構成であり、各ボタンの操作を感知し、また、各ボタンの点灯、点滅、消灯といった表示動作を制御する。
【００４２】
録画機器１６は、さらに、上記のボタン類を制御するソフトウエア的な構成として、ボタン・ＬＥＤ制御ドライバ６０を備えている。このボタン・ＬＥＤ制御ドライバ６０も、録画機器１６に記憶されたソフトウエアをＣＰＵにて実行することによって実現される。ボタン・ＬＥＤ制御ドライバ６０は、ボタン操作の情報をボタン・ＬＥＤ制御部５８から受け取り、ＨＤＤ制御ドライバ４４を介してファイルシステム４２に伝える。また、ボタン・ＬＥＤ制御ドライバ６０は、ＨＤＤ制御ドライバ４４を介してファイルシステム４２から受け取った情報に基づいて各ボタンの点灯を制御する。
【００４３】
上記構成において、第１ＯＮ／ＯＦＦボタン５０および第２ＯＮ／ＯＦＦボタン５２の各々が、本発明の認識操作部材と認識表示灯の両方に相当し、第１フォーマットボタン５４および第２フォーマットボタン５６が、本発明のフォーマット操作部材とフォーマット表示灯の両方に相当する。また、ボタン・ＬＥＤ制御ドライバ６０は、ファイルシステム４２などとともに、本発明の制御手段として機能する。
【００４４】
その他、図１には示されないが、録画機器１６は、通電状態等などの機器状態を表示するために各種表示灯を備えており、これら表示灯もボタン・ＬＥＤ制御ドライバ６０または他の適当な構成により制御されてよい。これら表示灯については後述する。
【００４５】
また、録画機器１６は、ＨＤＤ１、２の運用状態として、シングル運用とミラー運用を設定可能である。シングル運用は、２つのＨＤＤ１、２に異なる画像を記録するモードである。ミラー運用は、２つのＨＤＤ１、２に同じ画像を重複して記録するモードである。シングル運用とミラー運用の設定は、後述するように、第１フォーマットボタン５４および第２フォーマットボタン５６を用いて、機器本体への操作によって行われる。なお、シングル運用またはミラー運用が設定されると、この設定は、機器本体の運用状態としてメモリ２６に格納され、保持される。さらに、運用状態の設定は、ファイルシステム４２からの指示で、ＨＤＤ１、２にも書き込まれ、ＨＤＤの運用状態として保持される。
【００４６】
次に、図３は、ファイルシステム４２の構造を示している。ファイルシステム４２は、ＨＤＤ構成管理ファイル、レコード管理ファイルおよび画像管理ファイルで構成されている。これらファイルは、ＨＤＤ毎に設けられる。各ＨＤＤに対してＨＤＤ構成管理ファイルが設けられ、ＨＤＤ構成管理ファイルの下に複数のレコード管理ファイルが位置し、各レコード管理ファイルの下に複数の画像管理ファイルが位置し、各画像管理ファイルの下に複数の画像が位置している。ＨＤＤ構成管理ファイルは、現在のシステム構成（ＨＤＤ台数、運用）を管理し、レコード管理ファイルを管理する。レコード管理ファイルは、レコードのつながりを管理し、画像管理ファイルを管理する。画像管理ファイルは、画像位置を管理する。
【００４７】
次に、図４は、録画機器１６を前方から見た外観を示す図である。録画機器１６は、ハウジング７０と、ハウジング７０の前面に取り付けられた前面パネル７２と、前面パネル７２を取り外し不能に施錠する鍵機構７４とを備える。
【００４８】
前面パネル７２は、機器前面の一部を覆っている。前面パネル７２に覆われない領域には、通電表示灯７６、エラー表示灯７８、ミラー表示灯８０およびＨＤＤアクセス表示灯８２、８４が設けられている。これら表示灯はＬＥＤで構成されている。通電表示灯７８は、録画機器１６が通電状態のときに点灯し、エラー表示灯８０は、エラー発生時に点灯する。また、ミラー表示灯８０は後述するようにミラー運用状態を表示し、ＨＤＤアクセス表示灯８２、８４は、ＨＤＤ１、２がアクセスされているときに点灯する。これら表示灯はＬＥＤで構成されている。
【００４９】
図５は、前面パネル７２が取り除かれた状態の図である。図示のように、録画機器１６の前面にＨＤＤ１の挿入口９０と、ＨＤＤ２の挿入口９２とが設けられている。これら挿入口９０、９２は図１のＨＤＤ装着部３０の一部である。
【００５０】
さらに、ＨＤＤ１の挿入口９０の横には、第１ＯＮ／ＯＦＦボタン５０および第１フォーマットボタン５４が配置されている。また、ＨＤＤ２の挿入口９２の横には、第２ＯＮ／ＯＦＦボタン５２および第２フォーマットボタン５６が配置されている。既に説明したように、第１ＯＮ／ＯＦＦボタン５０および第１フォーマットボタン５４はＨＤＤ１の操作のために設けられており、第２ＯＮ／ＯＦＦボタン５２および第２フォーマットボタン５６はＨＤＤ２の操作ために設けられている。
【００５１】
図５では、点線の四角形が、図４の前面パネル７２に覆われていた領域を示している。図示のように、上記の２つの挿入口９０、９２と４つのボタン５０〜５８とが、前面パネル７２に覆われる場所に配置されている。したがって、これらＨＤＤ挿入口９０、９２とボタン５０〜５８は、鍵機構７４が解鍵されて前面パネル７２が取り外されない限りは露出しない。そして、鍵機構７４が施錠されている間は、ＨＤＤ１、２の取出しや交換、認識、フォーマット等の作業は出来ない。
【００５２】
図５には、上記の第１ＯＮ／ＯＦＦボタン５０、第２ＯＮ／ＯＦＦボタン５２、第１フォーマットボタン５４および第２フォーマットボタン５６の機能の詳細も示している。
【００５３】
「ＯＮ／ＯＦＦボタンの動作」
ＯＮ／ＯＦＦボタン（第１ＯＮ／ＯＦＦボタン５０および第２ＯＮ／ＯＦＦボタン５２を指す、以下同じ）は、ＨＤＤの認識および停止を行うために操作されるボタンである。ＨＤＤが認識済みのときにＯＮ／ＯＦＦボタンが押されると、録画機器１６はＨＤＤを停止させる。また、ＨＤＤが未認識状態のときにＯＮ／ＯＦＦボタンが押されると、録画機器１６はＨＤＤの認識処理を行う。
【００５４】
「ＯＮ／ＯＦＦボタンのＬＥＤ表示」
さらに、ＯＮ／ＯＦＦボタンのＬＥＤ表示としては下記の５種類の表示が設定されており、これら表示によって認識状態が示される。
「消灯」・・・ＨＤＤ未認識
「緑点灯」・・・未フォーマットＨＤＤと認識
「緑点灯」・・・ＨＤＤを正常認識
「アンバー点滅」・・・ＨＤＤ認識・停止処理中
「アンバー点灯」・・・録画中
【００５５】
なお、アンバー点灯は、オレンジ系の色の点灯である。ＯＮ／ＯＦＦボタンは、緑色およびアンバー色に点灯可能なようにＬＥＤデバイスを備えている。
【００５６】
「フォーマットボタンの動作」
また、フォーマットボタン（第１フォーマットボタン５４および第２フォーマットボタン５６を指す、以下同じ）は、ＨＤＤのフォーマットを行うために操作されるボタンである。フォーマットボタンに対しては、１点押しと２点同時押しの２つの操作が設定されている。
【００５７】
（フォーマットボタン、１点押し）
１点押しは、１つのフォーマットボタンだけを押す動作である。１点押しが行われると、ＨＤＤのフォーマットが行われ、または、フォーマットとミラー復旧が行われる。ミラー復旧とは、ミラー片はい運用状態からミラー運用状態への復旧処理をいう。より詳細には、録画機器１６にてミラー運用が設定されているにも拘わらず、１つのＨＤＤしか装着されていないとき、録画機器１６は、装着された１つのＨＤＤに画像を記録する。このことを、ミラー片はい運用という。ミラー片はい運用中にもう一つのＨＤＤが追加されたとする。このとき、装着済みのＨＤＤの記録画像が、追加されたＨＤＤにコピーされ、ミラー運用状態が復旧される。この動作をミラー復旧という。
【００５８】
（フォーマットボタン、２点押し）
一方、２点同時押しは、２つのフォーマットボタンを同時に押す動作である。２点同時押しが行われると、録画機器１６は、ミラーフォーマットまたはミラー解除を行う。これによりシングル運用とミラー運用の間の切替も行うことができる。
【００５９】
より詳細には、シングル運用が設定されており、かつ、２つのＨＤＤが装着された状態で、２点同時押しが行われたとする。この場合、運用状態設定がシングル運用からミラー運用に切り替えられて、２つのＨＤＤに対してミラーフォーマットが行われる。
【００６０】
また、ミラー運用が設定されており、かつ、２つのＨＤＤ共に装着されない状態で、２点同時押しが行われたとする。この場合、ミラー運用状態が解除されて、シングル運用が設定される。
【００６１】
「フォーマットボタンのＬＥＤ表示」
また、フォーマットボタンのＬＥＤ表示としては下記の３種類の表示が設定されており、これら表示によってフォーマット処理状態が示される。
「消灯」・・・下記以外
「緑点滅」・・・フォーマット/ミラー復旧中
「赤点灯」・・・フォーマット/ミラー復旧失敗
【００６２】
以上に、ＯＮ／ＯＦＦボタンおよびフォーマットボタンの機能と表示について説明した。録画機器１６は、さらに、第１フォーマットボタン５４および第２フォーマットボタン５６の下に、それぞれ、ＨＤＤ１およびＨＤＤ２のライトプロテクト表示灯９４、９６を備えている。ライトプロテクト表示灯９４、９６はＬＥＤランプであり、ＨＤＤ１、２が書込禁止状態であるときに点灯する。
【００６３】
「ミラー表示灯のＬＥＤ表示」
さらに、図５には、ミラー表示灯８０の機能も示されている。ミラー表示灯８０は、シングル、ミラーに関する機器の状態を表示するための表示灯である。ミラー表示灯８０もＬＥＤランプであり、緑と赤に点灯可能に構成されている。ミラー表示灯８０は下記の４種類の表示を行う。
「消灯」・・・シングル運用中
「緑点灯」・・・ミラー運用中
「緑点滅」・・・ミラー復旧中
「赤点灯」・・・ミラー片はい運用中またはミラー０台運用中
【００６４】
以上に、本実施の形態に係る画像記録再生装置である録画機器１６の構成について説明した。次に、録画機器１６の動作について説明する。
【００６５】
まず、録画機器１６の全体的な動作の概要について説明する。カメラ１２から画像データが送信されてくると、画像データがＮＷ制御部２０、信号処理部２２、エンコード・デコード部２４、メモリ２６、書込・読込部２８を経て、ＨＤＤ１、２に記録される。運用状態がシングル運用であれば、ＨＤＤ１、２に異なる画像が記録される。運用状態がミラー運用であれば、同じ画像がＨＤＤ１、２に重複して記録される。画像再生時は、画像がＨＤＤ１、２から読み込まれ、メモリ２６、エンコード・デコード部２４、信号処理部２２、ＮＷ制御部２０を経てネットワークへ送出されて、モニタリングＰＣ１８へ送られる。
【００６６】
次に、図６〜図８を参照し、運用中の録画機器１６に追加されたＨＤＤを運用状態まで遷移させる動作を説明する。ＨＤＤの追加は、ＨＤＤ１またはＨＤＤ２が録画機器１６のＨＤＤ装着部３０に装着されることである。以下の説明では、追加されたＨＤＤを、適宜、追加ＨＤＤという。
【００６７】
図６において、録画機器１６の運用中にＨＤＤが追加されると（Ｓ１）、追加されたＨＤＤの認識処理が実施される（Ｓ３）。この認識処理は、追加されたＨＤＤに対応するＯＮ／ＯＦＦボタン（５０または５２）が押されたときに実行される。
【００６８】
認識処理では、ＨＤＤ制御ドライバ４４が、ＨＤＤが追加されたことを認識し、ＨＤＤの追加をファイルシステム４２およびボタン・ＬＥＤ制御ドライバ６０へ通知する。ボタン・ＬＥＤ制御ドライバ６０は、該当するＯＮ／ＯＦＦボタン（５０または５２）をアンバー点滅させる。アンバー点滅は、図４に示したように、ＨＤＤ認識処理中の状態を示す表示である。ファイルシステム４２は、追加ＨＤＤの管理情報を読み込むようにＨＤＤ制御ドライバ４４に命令する。ＨＤＤ制御ドライバ４４は、ファイルシステム４２からの命令を実行するように書込・読込部２８を制御し、管理情報を追加ＨＤＤから読込む。この時、運用を継続するために、ＨＤＤ１とＨＤＤ２は完全に独立して動作するように、ＨＤＤ制御ドライバ４４がＨＤＤ１とＨＤＤ２を制御する。ＨＤＤ制御ドライバ４４は、追加ＨＤＤから読み込まれた管理情報のデータをファイルシステム４２へ通知する。
【００６９】
上記動作では、ファイルシステム４２とＨＤＤ制御ドライバ４４が、追加ＨＤＤの管理情報を取得する管理情報取得手段として機能している。管理情報は、ＨＤＤ構成などを管理する情報であり、ＨＤＤの特定の領域に書かれている。管理情報は、より詳細には、上述のファイルシステム４２で使用されるＨＤＤ構成管理ファイルおよびレコード管理ファイルに相当する情報を含む。この管理情報には、ＨＤＤのフォーマット状態とＨＤＤ運用状態（シングルまたはミラー）の情報が含まれている。フォーマット状態および運用状態はＨＤＤ構成管理ファイルに含まれている。
【００７０】
ファイルシステム４２は、追加ＨＤＤから取得された管理情報をＨＤＤ制御ドライバ４４から受け取ると、管理情報に基づいて認識処理を行う。認識処理において、ファイルシステム４２は、管理情報に含まれるＨＤＤ構成ファイルを参照して、追加ＨＤＤのフォーマット状態が録画機器フォーマット済みであるか否かを判定する。録画機器フォーマット済みとは、同一機種の録画機器でフォーマットされている状態をいう。例えば、同一機種の別の録画機器でフォーマットされたＨＤＤは、録画機器フォーマット済みである。また、過去の運用でフォーマットされたＨＤＤが一旦取り外されて、再び装着された場合にも、フォーマット状態は録画機器フォーマット済みである。録画機器フォーマット済みでない場合、追加ＨＤＤは未フォーマットＨＤＤである。未フォーマットＨＤＤとは、フォーマットが行われていないＨＤＤである。
【００７１】
また、追加ＨＤＤのフォーマット状態が録画機器フォーマット済みである場合の処理の詳細としては、ファイルシステム４２が、追加ＨＤＤの管理情報に基づいてＨＤＤ構成管理ファイルとレコード管理ファイルを書き換える。この書換え処理により、ファイルシステム４２の構造上でもＨＤＤが増える。１つのＨＤＤの運用中に追加ＨＤＤが装着されれば、図３に示されるように管理ファイルが書き換えられる。さらに、ファイルシステム４２は、機器運用状態（機器本体の運用状態）と、追加ＨＤＤのＨＤＤ運用状態とを比較し、両者が一致するか否かを判定する。機器運用状態とは、録画機器１６に設定された運用状態であり、ＨＤＤ運用状態は、ＨＤＤに書き込まれている運用状態である。追加ＨＤＤの場合、追加時点でのＨＤＤ運用状態は、別の録画機器に装着されたときに書き込まれた過去の運用状態である。追加ＨＤＤのＨＤＤ運用状態が機器運用状態と同じであった場合、ファイルシステム４２は、追加ＨＤＤをフォーマットせず、現状のＨＤＤ運用状態のままで追加ＨＤＤを正常認識する。これに対して、追加ＨＤＤのＨＤＤ運用状態が機器運用状態と異なっていたとする。この場合も、ファイルシステム４２は、追加ＨＤＤをフォーマットしない。ただし、ファイルシステム４２は、追加ＨＤＤの管理情報におけるＨＤＤ構成管理ファイルを、機器運用状態（本体の運用状態）と一致するように書き換えて、追加ＨＤＤを正常認識する。
【００７２】
認識処理が完了すると（Ｓ５、Ｙｅｓ）、認識結果が、ファイルシステム４２からＨＤＤ制御ドライバ４４を介してボタン・ＬＥＤ制御ドライバ６０に伝えられる（Ｓ７）。ボタン・ＬＥＤ制御ドライバ６０は、認識結果に応じてＯＮ／ＯＦＦボタンの表示を制御する。ボタン・ＬＥＤ制御ドライバ６０は、追加ＨＤＤが録画機器フォーマット済みであれば（Ｓ９、Ｙｅｓ）、追加ＨＤＤの正常認識の表示として、ＯＮ／ＯＦＦボタンに「緑点灯」を行わせる（Ｓ１１）。この場合、ＨＤＤのフォーマットは必要ない。また、ボタン・ＬＥＤ制御ドライバ６０は、追加ＨＤＤが録画機器フォーマット済みで無ければ（Ｓ９、Ｎｏ）、未フォーマットＨＤＤ認識の表示として、ＯＮ／ＯＦＦボタンに「緑点滅」を行わせる（Ｓ１３）。この場合、追加ＨＤＤをフォーマットする必要がある。
【００７３】
図６のステップＳ１１またはステップＳ１３の処理の後、録画機器１６は、機器本体の運用状態を参照し、機器本体がシングル運用状態であれば図７の処理を行い（Ｓ１５、Ｙｅｓ）、機器本体がミラー運用状態であれば図８の処理を行う（Ｓ１５、Ｎｏ）。
【００７４】
図７において、録画機器１６は、未フォーマットＨＤＤにフォーマットを実行するか否かを判定する（Ｓ２１）。録画機器１６は、ステップＳ２１がＮｏであれば処理を終了する。例えば、図６のステップＳ１１でＨＤＤが正常認識されたときは、再フォーマットが行われず、ステップＳ２１がＮｏになり、処理が終了する。
【００７５】
一方、図６のステップＳ１３の処理が行われており、フォーマットボタンが押されると、ステップＳ２１の判定がＹｅｓになる。この場合、録画機器１６は、シングルフォーマットを行うか否かを判定する（Ｓ２３）。
【００７６】
フォーマットボタンの１点押しが行われた場合、ステップＳ２３がＹｅｓになり、シングルフォーマットが行われ、シングルフォーマット実行中のＬＥＤ表示が行われる（Ｓ２５）。このとき、追加ＨＤＤに対応するフォーマットボタンが押されて、追加ＨＤＤの方のＯＮ／ＯＦＦボタンとフォーマットボタンのＬＥＤ表示が行われる。ＬＥＤ表示では、ＯＮ／ＯＦＦボタンが「緑点滅」、フォーマットボタンが「緑点滅」、ミラー表示灯（図４、符合７８）が「消灯」である。
【００７７】
さらに、録画機器１６は、シングルフォーマットが正常終了すれば（Ｓ２７、Ｙｅｓ）、ＨＤＤを正常認識し、正常認識のＬＥＤ表示を行う（Ｓ２９）。この場合、ＯＮ／ＯＦＦボタンが「緑点灯」、フォーマットボタンが「消灯」、ミラー表示灯が「消灯」である。
【００７８】
シングルフォーマットが正常終了しない場合（Ｓ２７、Ｎｏ）、録画機器１６は、フォーマット失敗のＬＥＤ表示を行う（Ｓ３１）。この場合、ＯＮ／ＯＦＦボタンが「緑点滅」（すなわち未フォーマット）、フォーマットボタンが「赤点灯」、ミラー表示灯が「消灯」である。
【００７９】
一方、フォーマットボタンの２点同時押しが行われた場合、ステップＳ２３がＮｏになり、ミラーフォーマットが行われ、２つのＨＤＤがフォーマットされる。この場合、ミラーフォーマット実行中のＬＥＤ表示が行われ（Ｓ３３）、２つのＯＮ／ＯＦＦボタンが「緑点滅」、２つのフォーマットボタンが「緑点滅」、ミラー表示灯（図４、符合７８）が「消灯」である。
【００８０】
さらに、録画機器１６は、ミラーフォーマットが正常終了すれば（Ｓ３５、Ｙｅｓ）、ＨＤＤを正常認識し、正常認識のＬＥＤ表示を行う（Ｓ３７）。この場合、２つのＯＮ／ＯＦＦボタンが「緑点灯」、２つのフォーマットボタンが「消灯」、ミラー表示灯が「緑点灯」である。
【００８１】
一方、ミラーフォーマットが正常終了しない場合（Ｓ３５、Ｎｏ）、録画機器１６は、フォーマット失敗のＬＥＤ表示を行う（Ｓ３１）。この場合、２つのＯＮ／ＯＦＦボタンが「緑点滅」（すなわち未フォーマット）、２つのフォーマットボタンが「赤点灯」、ミラー表示灯が「消灯」である。
【００８２】
次に、図８のフローチャートを参照する。図８は、図６のステップＳ１５にて機器本体がミラー運用状態と判定されたときの動作である。
【００８３】
図８において、録画機器１６は、未フォーマットＨＤＤにフォーマットを実行するか否かを判定する（Ｓ４１）。録画機器１６は、ステップＳ４１がＮｏであれば処理を終了する。例えば、図６のステップＳ１１でＨＤＤが正常認識されたときは、再フォーマットが行われず、ステップＳ４１がＮｏになり、処理が終了する。
【００８４】
一方、図６のステップＳ１３の処理が行われており、フォーマットボタンが押されると、ステップＳ２１の判定がＹｅｓになる。この場合、録画機器１６は、ミラー復旧を行うか否かを判定する（Ｓ４３）。
【００８５】
フォーマットボタンの１点押しが行われた場合、ステップＳ４３がＹｅｓになり、ＨＤＤがフォーマットされ、さらにミラー復旧が行われ、フォーマットおよびミラー復旧実行中のＬＥＤ表示が行われる（Ｓ４５）。ここでは、追加ＨＤＤに対応するフォーマットボタンが押されており、追加ＨＤＤの方のＯＮ／ＯＦＦボタンとフォーマットボタンのＬＥＤ表示が行われる。ＬＥＤ表示では、ＯＮ／ＯＦＦボタンが「緑点滅」、フォーマットボタンが「緑点滅」、ミラー表示灯が「緑点滅」である。
【００８６】
さらに、録画機器１６は、ミラー復旧が正常終了すれば（Ｓ４７、Ｙｅｓ）、ＨＤＤを正常認識し、正常認識のＬＥＤ表示を行う（Ｓ４９）。この場合、ＯＮ／ＯＦＦボタンが「緑点灯」、フォーマットボタンが「消灯」、ミラー表示灯が「緑点灯」である。
【００８７】
フォーマットとミラー復旧が正常終了しない場合（Ｓ４７、Ｎｏ）、録画機器１６は、フォーマット失敗のＬＥＤ表示を行う（Ｓ５１）。この場合、ＯＮ／ＯＦＦボタンが「緑点滅」（すなわち未フォーマット）、フォーマットボタンが「赤点灯」、ミラー表示灯が「赤点灯」である。
【００８８】
一方、フォーマットボタンの２点同時押しが行われた場合、ステップＳ４３がＮｏになり、ミラーフォーマットが行われ、２つのＨＤＤがフォーマットされる。この場合、ミラーフォーマット実行中のＬＥＤ表示が行われ（Ｓ５３）、２つのＯＮ／ＯＦＦボタンが「緑点滅」、２つのフォーマットボタンが「緑点滅」、ミラー表示灯が「緑点灯」である。
【００８９】
さらに、録画機器１６は、ミラーフォーマットが正常終了すれば（Ｓ５５、Ｙｅｓ）、ＨＤＤを正常認識し、正常認識のＬＥＤ表示を行う（Ｓ５７）。この場合、２つのＯＮ／ＯＦＦボタンが「緑点灯」、２つのフォーマットボタンが「消灯」、ミラー表示灯が「緑点灯」である。
【００９０】
一方、ミラーフォーマットが正常終了しない場合（Ｓ５５、Ｎｏ）、録画機器１６は、フォーマット失敗のＬＥＤ表示を行う（Ｓ６１）。この場合、２つのＯＮ／ＯＦＦボタンが「緑点滅」（すなわち未フォーマット）、２つのフォーマットボタンが「赤点灯」、ミラー表示灯が「赤点灯」である。
【００９１】
図９および図１０は、上述の機器動作に従ったＨＤＤ運用開始の流れを示している。図９は、シングル運用までの流れである。まず、ＨＤＤ無しの状態では、ＯＮ／ＯＦＦボタンが「消灯」、フォーマットボタンが「消灯」、ミラー表示灯が「消灯」である。
【００９２】
ＨＤＤが追加され、ＯＮ／ＯＦＦボタンが押され、認識処理が実行されると、ＯＮ／ＯＦＦボタンが「アンバー点滅」になる（図６、Ｓ３）。認識処理の結果、ＨＤＤが録画機器フォーマット済みと認識されると、ＯＮ／ＯＦＦボタンが「緑点灯」になる（図６、Ｓ１１）。
【００９３】
認識処理の結果、ＨＤＤが未フォーマットＨＤＤであった場合、ＯＮ／ＯＦＦボタンが「緑点滅」になる（図６、Ｓ１３）。そして、フォーマットボタンが押されると、フォーマットボタンが「緑点滅」になる（図７、Ｓ２５）。フォーマットが完了すると、ＯＮ／ＯＦＦボタンが「緑点灯」になり、フォーマットボタンが「消灯」になる（図７、Ｓ２９）。
【００９４】
図１０は、ミラー運用までの流れである。まず、ＨＤＤ無しの状態では、ＯＮ／ＯＦＦボタンが「消灯」、フォーマットボタンが「消灯」、ミラー表示灯が「消灯」である。
【００９５】
ＨＤＤが追加され、ＯＮ／ＯＦＦボタンが押され、認識処理が実行されると、ＯＮ／ＯＦＦボタンが「アンバー点滅」になる（図６、Ｓ３）。認識処理の結果、ＨＤＤが録画機器フォーマット済みと認識されると、ＯＮ／ＯＦＦボタンが「緑点灯」になる（図６、Ｓ１１）。また、ミラー表示灯も「緑点灯」になる。
【００９６】
認識処理の結果、ＨＤＤが未フォーマットＨＤＤであった場合、ＯＮ／ＯＦＦボタンが「緑点滅」になる（図６、Ｓ１３）。ミラー表示灯は、まだ「消灯」のままである。そして、フォーマットボタンが押されると、フォーマットボタンが「緑点滅」になる（図７、Ｓ３３）。フォーマットが完了すると、ＯＮ／ＯＦＦボタンが「緑点灯」になり、フォーマットボタンが「消灯」になり、ミラー表示灯が「緑点灯」になる（図７、Ｓ３７）。
【００９７】
以上に、ＨＤＤを装着して運用を開始するときの動作を説明した。運用中のＨＤＤを取り外すときの動作としては、取り外されるべきＨＤＤに対応するＯＮ／ＯＦＦボタンが押される。停止処理中は、ボタン・ＬＥＤ制御ドライバ６０が、押されたＯＮ／ＯＦＦボタンに「アンバー点滅」を行わせる。停止処理が完了すると、ＯＮ／ＯＦＦボタンは「消灯」になり、ＨＤＤを取り出すことができる。
【００９８】
また、ＨＤＤの脱着、運用または停止の操作の際は、図４および図５を用いて説明したように、鍵機構７４が解鍵されて、前面パネル７２が取り外される。これにより、ＨＤＤの挿入口９０、９２が露出し、ＨＤＤを脱着可能になる。また、ＯＮ／ＯＦＦボタンおよびフォーマットボタンの操作も可能になる。
【００９９】
この点に関し、本実施の形態では、上述のようなボタンやＬＥＤを設けたことにより、操作性と利便性が向上し、機器本体への操作のみで、ＨＤＤの運用開始（起動）や停止ができる。その反面、機器管理の確実性とセキュリティ性の確保が求められる。本実施の形態では、上述の鍵付きの前面パネル７２を設けることにより、セキュリティの要求に好適に応えることができる。
【０１００】
次に、本実施の形態における操作履歴と機器本体状態の情報の処理機能について説明する。本実施の形態では、操作履歴が録画機器１６に保存されるように構成されている。より詳細には、第１ＯＮ／ＯＦＦボタン５０、第２ＯＮ／ＯＦＦボタン５２、第１フォーマットボタン５４および第２フォーマットボタン５６といったボタンが操作されると、ボタン操作が、ボタン・ＬＥＤ制御ドライバ６０に検知され、そして、ボタン操作の履歴がメモリ２６に記憶される。メモリ２６は不揮発性の記憶手段であり、本発明の操作履歴記憶手段として機能する。操作履歴は、操作されたボタンの情報と操作日時の情報を含む。操作日時は、録画機器１６の内蔵時計から得られる。
【０１０１】
また、録画機器１６は、モニタリングＰＣ１８から、機器本体状態と操作履歴の情報の要求を受け付ける。この要求は、ＮＷ制御部２０により受信され、ＮＷ制御ドライバ４０を経て、ファイルシステム４２に伝えられる。ファイルシステム４２は、要求に応えて機器本体状態と操作履歴の情報を返す処理を行う。機器本体状態は、ＨＤＤ装着部におけるＨＤＤの挿抜中の状態、フォーマット中の状態などである。操作履歴は、上述のボタン操作の履歴であり、メモリ２６から読み出される。これら情報は、ＮＷ制御部２０から送出され、ＨＴＴＰプロトコルでモニタリングＰＣ１８に提供される。
【０１０２】
モニタリングＰＣ１８では、モニタ上に、機器本体状態や操作履歴が表示される。より詳細には、ユーザ操作に応じて、モニタの表示が切り替わり、カメラ映像が表示されたり、上記の機器本体状態や操作履歴が表示される。ユーザは、モニタリングＰＣ１８上で、カメラ映像の確認とともに、機器本体状態や操作履歴を確認できる。このような機能を備えることにより、モニタリングＰＣ１８でシステム構成の一括管理ができる。
【０１０３】
上述の操作履歴を確認することにより、ユーザは、ＨＤＤ交換やフォーマットの履歴を知ることができる。操作履歴の情報は、不正目的でＨＤＤ交換やフォーマットの操作が行われたか否かの判断に利用でき、不正に映像が消去されていないかの判断に利用できる。こうして、操作履歴の提供によっても、セキュリティ性を好適に向上することができる。
【０１０４】
以上に本発明の実施の形態に係る画像記録再生装置である録画機器１６について説明した。本実施の形態では、第１ＯＮ／ＯＦＦボタン５０、第２ＯＮ／ＯＦＦボタン５２が、本発明の認識操作部材および認識表示灯に相当する。また、第１フォーマットボタン５４、第２フォーマットボタン５６が本発明のフォーマット操作部材およびフォーマット表示灯に相当する。さらに、ボタン・ＬＥＤ制御ドライバ６０が、ファイルシステム４２等と共に、本発明の制御手段として機能する。
【０１０５】
本実施の形態によれば、認識操作部材、フォーマット操作部材、認識表示灯およびフォーマット表示灯が画像記録再生装置に備えられ、そして、制御手段が認識操作部材およびフォーマット操作部材への操作に応じて認識表示灯およびフォーマット表示灯の表示を制御し、上記のようにリムーバブル記録ユニットの認識状態とフォーマット処理状態を表示する。制御手段は、認識操作部材が操作されたときに、リムーバブル記録ユニット（ＨＤＤ）が正常に認識されれば正常認識表示を認識表示灯に行わせ、リムーバブル記録ユニットが未フォーマット状態であれば正常認識表示と異なる未フォーマット表示を認識表示灯に行わせ、さらに、未フォーマット表示中にフォーマット操作部材が操作されるとフォーマット中表示をフォーマット表示灯に行わせ、フォーマットが正常終了すると正常認識表示を認識表示灯に行わせる（上記例では、正常認識表示が緑点灯、未フォーマット表示が緑点滅、フォーマット中表示が緑点滅（図５））。したがって、モニタまたはブラウザが無くとも、操作部材の操作と表示灯の確認作業とによってユニット運用までの遷移作業を進めることができ、これにより、リムーバブル記録ユニットの運用までの遷移を容易にできる。
【０１０６】
また、本実施の形態によれば、リムーバブル記録ユニットの運用中に認識操作部材が操作されると、リムーバブル記録ユニットの停止による未認識状態を示す表示を認識表示灯に行わせるので、認識操作部材と認識表示灯を利用して、リムーバブル記録ユニットの停止作業も容易に行うことができる。なお、上記例では、未認識状態の表示動作として、ＬＥＤが消灯される（表示の観点で消灯状態は点灯状態と区別できるので、本発明では消灯も表示動作に含まれる）。
【０１０７】
また、本実施の形態によれば、記録ユニット装着部が複数のリムーバブル記録ユニットを装着可能であり、複数のリムーバブル記録ユニットに対応して複数の認識操作部材、複数のフォーマット操作部材、複数の認識表示灯および複数のフォーマット表示灯が備えられているので、複数のリムーバブル記録ユニットを備えたタイプの画像記録再生装置においても、リムーバブル記録ユニットの運用までの遷移を容易にできる。複数のリムーバブル記録ユニットの各々に個別に操作部材および表示灯を設けたので、１つのリムーバブル記録ユニットの運用を継続したまま、他のリムーバブル記録ユニットの運用までの遷移を行うことができる。１つのリムーバブル記録ユニットの運用を継続したまま、他のリムーバブル記録ユニットを交換することも可能になる。
【０１０８】
また、本実施の形態によれば、複数のフォーマット操作部材が同時に操作されたときに、複数のリムーバブル記録ユニットのシングル運用とミラー運用の設定切替を行うので、複数のリムーバブル記録ユニットに対応して設けられた複数の認識操作部材を利用して、シングル運用とミラー運用の設定切替作業も容易に行うことができる。
【０１０９】
また、本実施の形態によれば、記録ユニット装着部に複数のリムーバブル記録ユニットが装着されているときに複数のフォーマット操作部材が同時に操作されると、ミラー運用を設定し、複数のリムーバブル記録ユニットに対してミラーフォーマットを行うので、ミラー運用への切替を容易にできる。
【０１１０】
また、本実施の形態によれば、記録ユニット装着部が非装着状態のときに複数のフォーマット操作部材が同時に操作されると、シングル運用を設定するので、シングル運用への切替を容易にできる。
【０１１１】
また、本実施の形態によれば、ミラー運用設定状態にて複数のフォーマット操作部材の一つが操作されたときに、操作対象のリムーバブル記録ユニットのフォーマットと共にミラー復旧処理を行う。したがって、ミラー片はい運用状態で、追加されたリムーバブル記録ユニットのフォーマットが指示されると、フォーマットに続いてミラー復旧が行われる。これにより、ミラー片はい運用状態からミラー運用状態への復旧を容易にできる。
【０１１２】
また、本実施の形態によれば、認識操作部材および前記認識表示灯が表示灯付きボタンによって一体的に構成されており、フォーマット操作部材およびフォーマット表示灯が表示灯付きボタンによって一体的に構成されている。上記の例では、ＬＥＤ付きボタンが設けられている。これにより、認識操作部材と認識表示灯が一体化されるので、操作と表示確認を容易にできる。
【０１１３】
また、本実施の形態によれば、記録ユニット装着部、認識操作部材、フォーマット操作部材、認識表示灯およびフォーマット表示灯が前面パネルに覆われており、前面パネルを取り外し不能に施錠する鍵機構が備えられている。鍵付きの前面パネルを備えたので、鍵が無ければリムーバブル記録ユニットの操作ができなくなり、セキュリティ性を向上できる。これにより、上述の表示灯などの特徴的構成による操作性向上に伴って機器管理セキュリティ性が低下してしまうといったことのないように、セキュリティ性を確保することができる。
【０１１４】
また、本実施の形態によれば、画像記録再生装置は、認識操作部材およびフォーマット操作部材に対する操作履歴を記憶する操作履歴記憶手段を備えている。操作履歴記憶手段は、上記の例では不揮発性のメモリ２６によって実現される。この構成により、操作履歴を記憶するので、画像記録再生装置に対する操作履歴が分かり、ユニット交換やフォーマットの履歴が分かる。そして、操作履歴を、不正目的の操作の有無などの判断に利用することができる。
【０１１５】
また、本実施の形態によれば、画像記録再生装置は、記録ユニット装着部の挿抜状態およびリムーバブル記録ユニットに対するフォーマット状態を含む機器本体状態と、操作履歴の情報とを、外部からの要求に応じて出力する情報出力手段を備えている。情報出力手段は上記の例ではネットワーク通信機能であり、出力先はモニタリングＰＣ１８である。この構成により、画像記録再生装置の機器本体状態や上述の操作履歴を外部からモニタすることも可能になる。
【０１１６】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１１７】
以上のように、本発明にかかる画像記録再生装置は、リムーバブル記録ユニットの運用装着からまでの遷移を容易にできるという効果を有し、監視カメラシステムの画像記録再生装置等として有用である。
【図面の簡単な説明】
【０１１８】
【図１】本発明の実施の形態における画像記録再生装置のブロック図
【図２】画像記録再生装置が備えられた監視システムを示す図
【図３】画像記録再生装置のファイルシステムの構造を示す図
【図４】前面パネルを取り付けた状態の画像記録再生装置を前方から見た図
【図５】前面パネルを取り外した状態の画像記録再生装置を前方から見た図
【図６】画像記録再生装置の動作を示すフロー図
【図７】画像記録再生装置の動作を示すフロー図
【図８】画像記録再生装置の動作を示すフロー図
【図９】画像記録再生装置の動作の例を示す図
【図１０】画像記録再生装置の動作の例を示す図
【符号の説明】
【０１１９】
１，２  ＨＤＤ
１０  監視システム
１２  カメラ
１４  ハブ
１６  録画機器
１８  モニタリングＰＣ
２０  ＮＷ制御部
２２  信号処理部
２４  エンコード・デコード部
２６  メモリ
２８  書込・読込部
３０  ＨＤＤ装着部
４０  ＮＷ制御ドライバ
４２  ファイルシステム
４４  ＨＤＤ制御ドライバ
４６  操作部
５０  第１ＯＮ／ＯＦＦボタン
５２  第２ＯＮ／ＯＦＦボタン
５４  第１フォーマットボタン
５６  第２フォーマットボタン
５８  ボタン・ＬＥＤ制御部
６０  ボタン・ＬＥＤ制御ドライバ
【図１】
2007317329.tif 000003
【図２】
2007317329.tif 000004
【図３】
2007317329.tif 000005
【図４】
2007317329.tif 000006
【図５】
2007317329.tif 000007
【図６】
2007317329.tif 000008
【図７】
2007317329.tif 000009
【図８】
2007317329.tif 000010
【図９】
2007317329.tif 000011
【図１０】
2007317329.tif 000012